(57)【要約】【課題】  連続帳票の帳票に印字された特定数字が傾斜していても、画像処理部において特定数字を確実にマッチングすること。【解決手段】  連続帳票の読取監視装置１０は、連続帳票２０の表裏側に設けられ、帳票２０ａの表裏面の特定数字２０ｂを撮像する一対の撮像機構１１，１８と、各撮像機構１１，１８からの信号に基づいて特定数字２０ｂのマッチングを行なう画像処理部２５とを備えている。各撮像機構１１，１８はリング状ガイド１３と、このリング状ガイド１３に沿って回転するカメラ１５とを有している。【選択図】  図２
2005205754.tif 000002
【特許請求の範囲】
【請求項１】
各々の表裏面にプリンタにより特定数字が印字された多数の帳票を有する連続帳票の読取監視装置において、
連続帳票の表裏面側に設置され、各帳票に印字された特定数字を撮像する一対の撮像機構と、
各撮像機構からの信号に基づいて、各帳票の表裏面の特定数字をマッチングする画像処理部とを備え、
各撮像機構はカメラと、このカメラを回転自在に保持する回転機構とを有することを特徴とする連続帳票の読取監視装置。
【請求項２】
画像処理部は各帳票の表裏面の特定数字がマッチングしない場合にプリンタを停止させることを特徴とする請求項１記載の連続帳票の読取監視装置。
【請求項３】
各撮像機構はカメラ近傍に配置され、連続帳票に対して光を照射する照明装置を更に有することを特徴とする請求項１記載の連続帳票の読取監視装置。
【請求項４】
カメラは円筒状カメラレンズを有し、照明装置はカメラレンズに対して同芯に配置されたリング状ライトからなることを特徴とする請求項３記載の連続帳票の読取監視装置。
【発明の詳細な説明】
【技術分野】
【０００１】
本発明は連続帳票の各々の帳票の表裏面に印字された特定番号を読取る連続帳票の読取監視装置に関する。
【背景技術】
【０００２】
多数の帳票からなる連続帳票には、各帳票の表裏面に特定数字（通数連番）がプリンタにより印字されている（特許文献１参照）。従来より各帳票の表裏面の特定数字が読取監視装置のカメラ装置により読取られ、カメラからの情報に基づいて画像処理部により表裏面の数字のマッチングが図られている。
【特許文献１】特願平９−３０５７１５
【発明の開示】
【発明が解決しようとする課題】
【０００３】
上述のように、従来より各帳票の表裏面の特定数字が読取監視装置により読み取られている。この特定数字が各帳票毎に、例えば連続帳票の走行方向に直交する方向に配置されている場合、カメラにより特定数字を撮像しても、このカメラからの情報に基づいて画像処理部で容易にマッチングを行なうことができる。
【０００４】
一方、特定数字が連続帳票の走行方向に対して傾斜している場合、カメラで撮像される特定数字も傾斜してしまい、画像処理部において、正しくマッチングできないことがある。
【０００５】
本発明はこのような点を考慮してなされたものであり、連続帳票の各帳票に印字された特定数字が連続帳票の走行方向に対して傾斜していても正しく画像処理部において表裏面の特定数字をマッチングすることができる連続帳票の読取監視装置を提供することを目的とする。
【課題を解決するための手段】
【０００６】
本発明は、各々の表裏面にプリンタにより特定数字が印字された多数の帳票を有する連続帳票の読取監視装置において、連続帳票の表裏面側に設置され、各帳票に印字された特定数字を撮像する一対の撮像機構と、各撮像機構からの信号に基づいて、各帳票の表裏面の特定数字をマッチングする画像処理部とを備え、各撮像機構はカメラと、このカメラを回転自在に保持する回転機構とを有することを特徴とする連続帳票の読取監視装置である。
【０００７】
本発明は、画像処理部は各帳票の表裏面の特定数字がマッチングしない場合にプリンタを停止させることを特徴とする連続帳票の読取監視装置である。
【０００８】
本発明は、各撮像機構はカメラ近傍に配置され、連続帳票に対して光を照射する照明装置を更に有することを特徴とする連続帳票の読取監視装置である。
【０００９】
本発明は、カメラは円筒状カメラレンズを有し、照明装置はカメラレンズに対して同芯に配置されたリング状ライトからなることを特徴とする連続帳票の読取監視装置である。
【発明の効果】
【００１０】
本発明によれば、連続帳票の各帳票に印字された特定数字が連続帳票の走行方向に対して傾斜していても、カメラを回転機構により回転するだけで、カメラにより撮像される特定数字の方向を調整することができる。このため、画像処理部において、各帳票の表裏面に印字された特定数字を確実にマッチングすることができる。
【発明を実施するための最良の形態】
【００１１】
以下、図面を参照して本発明の実施の形態について説明する。  
図１乃至図７は、本発明による連続帳票の読取監視装置の一実施の形態を示す図である。
【００１２】
図１に示すように連続帳票の読取監視装置１０は多数の帳票２０ａ，２０ａ，…からなる連続帳票２０のうち、各帳票２０ａの表裏面に印字された特定数字（通数連番）２０ｂを読取り監視するものである。
【００１３】
この場合、連続帳票２０の各帳票２０ａの表裏面には、予めプリンタ１９により特定数字２０ｂが印字されている（図５（ａ）−（ｄ）参照）。
【００１４】
読取監視装置１０は、連続帳票２０の表面側および裏面側に各々設けられ各帳票２０ａに印字された特定数字を撮像する一対の撮像機構１１，１８と、各撮像機構１１，１８からの信号に基づいて各帳票２０ａの表裏面の特定数字２０ｂをマッチングする画像処理部２５とを備えている。
【００１５】
このうち画像処理部２５は、各撮像機構１１，１８からの信号に基づいて、各帳票２０ａの表裏面の特定数字２０ｂのマッチングを行ない、このマッチングの結果、ある帳票２０ａの表裏面の特定数字２０ｂが異なるときは、プリンタ１９において連続帳票２０に対して正確に印刷していないものと判断し、プリンタ１９を停止する。
【００１６】
次に各撮像機構１１，１８について詳述する。撮像機構１１，１８はいずれも略同様の構成を有しており、ここでは撮像機構１１について図２および図３により説明する。ここで図２は撮像装置の外観図であり、図３は撮像装置の底面図である。
【００１７】
図２および図３に示すように、撮像機構１１はフレーム１２と、フレーム１２の先端に設けられたリング状のガイド（回転機構）１３と、このガイド１３に対して回転自在に設けられたカメラ１５とを有している。
【００１８】
カメラ１５はガイド１３に回転自在に保持されたカメラ本体１５ａと、カメラ本体１５ａに内蔵された円筒状カメラレンズ１５ｂとを有している。またカメラ本体１５ａの下端部には、照明装置１６がカメラ本体１５ａに一体に設けられており、カメラ本体１５ａがガイド１３に沿って回転した場合、照明装置１６もカメラ本体１５ａと共に回転するようになっている。
【００１９】
また照明装置１６は、カメラレンズ１５ｂと同芯に配置されたリング状ライト１５ａを有している。
【００２０】
次にこのような構成からなる本実施の形態の作用について説明する。
【００２１】
まず図１および図４に示すように、プリンタ１９において連続帳票２０を構成する各帳票２０ａの表裏面に印刷が施され、この際、同時に各帳票２０ａの表裏面に特定数字２０ｂが印字される。
【００２２】
次に連続帳票２０の各帳票２０ａの表面および裏面に印字された特定数字２０ｂが、各々撮像機構１１，１８に達し、照明装置１６が特定数字２０ｂを照らす。次に特定数字２０ｂが撮像機構１１，１８のカメラ１５により読み取られる（ナンバー読み取り）。次に撮像機構１１，１８のカメラ１５からの信号が画像処理部２５へ送られ、この画像処理部２５において、各帳票２０ａの表裏面の特定数字２０ｂについてマッチングが行なわれる。
【００２３】
各帳票２０ａの表裏面の特定数字２０ｂに対するマッチングの結果、表裏面の特定数字２０ｂが一致する場合、次の帳票２０ａの表裏面の特定数字２０ｂに対するマッチングが行なわれる。
【００２４】
一方、各帳票２０ａの表裏面の特定数字２０ｂに対するマッチングの結果、表裏面の特定数字２０ｂが不一致の場合、画像処理部２５はプリンタ１９における印刷が不適切であると判断し、プリンタ１９を停止させる。
【００２５】
ところで各帳票２０ａの表裏面に印字された特定数字２０ｂが、連続帳票２０の走行方向Ｌに対して直交して配置されているとき（図５（ａ）参照）、撮像機構１１，１８のカメラ１５により読み取られる特定数字２０ｂも連続帳票２０の走行方向Ｌに対して直交する（図６（ａ）参照）。この場合は画像処理部２５において特定数字２０ｂのマッチングを問題なく行なうことができる。
【００２６】
これに対して各帳票２０ａの表裏面に印字された特定数字２０ｂが走行方向Ｌに対して直交する位置から９０°回転したり（図５（ｂ））、１８０°回転した場合（図５（ｃ））、あるいは４５°傾斜した場合（図５（ｄ））、これらの場合いずれもカメラ１５をリング状ガイド１３に沿って９０°、１８０°あるいは４５°回転させる。
【００２７】
このようにして撮像機構１１，１８のカメラ１５により、特定数字２０ｂを連続帳票２０の走行方向Ｌに対して直交する方向で撮像することができ、画像処理部２５における特定数字２０ｂのマッチングを確実に行なうことができる（図６（ｂ）−（ｄ））。この場合、図６（ｂ）はカメラ１５を９０°回転した場合の特定数字２０ｂを示し、図６（ｃ）はカメラ１５を１８０°回転した場合の特定数字２０ｂを示し、図６（ｄ）はカメラ１５を４５°回転した場合の特定数字を示す。
【００２８】
ここで図７（ａ）−（ｄ）により、本発明の比較例を示す。図７（ａ）−（ｄ）に示すように、カメラ１５がガイド１３に沿って回転せず、固定されている場合、図５（ａ）−（ｄ）に示す各帳票２０ａの特定数字２０ｂをカメラ１５により撮像すると、図７（ａ）−（ｄ）に示すように連続帳票２０の走行方向Ｌに直交する方向を基準として、特定数字２０ｂは０°回転した状態（図７（ａ））、９０°回転した状態（図７（ｂ））、１８０°回転した状態（図７（ｃ））、４５°回転した状態（図７（ｄ））で示される。
【００２９】
このうち図７（ｂ）−（ｄ）に示されるようにカメラ１５により特定数字２０ｂが撮像されると、画像処理部２５において特定数字のマッチングを図ることはむずかしくなる。
【００３０】
以上のように本発明によれば、連続帳票２０の各帳票２０ａに印字された特定数字２０ｂが連続帳票２０の走行方向に対して傾斜していても、カメラ１５をガイド１３に沿って回転させるだけでカメラ１５に撮像される特定数字２０ｂの方向を調整することができる。このため画像処理部２５において、帳票２０ａの表裏面に印字された特定数字２０ｂのマッチングを確実に行なうことができる。
【図面の簡単な説明】
【００３１】
【図１】本発明による連続帳票の読取監視装置の一実施の形態を示す概略図。
【図２】撮像機構を示す外観図。
【図３】撮像機構を示す底面図。
【図４】連続帳票の読取監視装置の作用を示すフローチャート。
【図５】連続帳票の帳票を示す図。
【図６】本発明におけるカメラにより撮像された特定数字を示す図。
【図７】比較例におけるカメラにより撮像された特定数字を示す図。
【符号の説明】
【００３２】
１０  読取監視装置
１１  撮像機構
１２  フレーム
１３  リング状ガイド
１５  カメラ
１５ａ  カメラ本体
１５ｂ  カメラレンズ
１６  照明装置
１６ａ  リング状ガイド
１８  撮像装置
１９  プリンタ
２０  連続帳票
２０ａ  帳票
２０ｂ  特定数字
【図１】
2005205754.tif 000003
【図２】
2005205754.tif 000004
【図３】
2005205754.tif 000005
【図４】
2005205754.tif 000006
【図５】
2005205754.tif 000007
【図６】
2005205754.tif 000008
【図７】
2005205754.tif 000009